(57)【特許請求の範囲】
【請求項１】
接触リング（４，１５）として形成された固定式の少なくとも２つの消耗接触子、及び互いに面したそれらの前面の少なくとも一部を被覆する電気絶縁性の被覆部材（１１，２２）を有し、これらの消耗接触子は、消弧室の閉鎖中に中心に配置されて軸線方向に移動する１本の橋絡接触子によって通電接続されている、中心軸線（２）周りに回転対称的に配置されて絶縁媒体で満たされたこの消弧室の接触領域（１）において、
−この被覆部材（１１，２２）の当接する縁部（１０，２１）から出発して半径方向に開口している楔形の断面をした１本の環状間隙（１１ａ，２２ａ）が、当接面（７，１８）とこの絶縁性の被覆部材（１１，２２）との間に形成されていること、及び、
−この縁部（１０，２１）は、これらの当接面（７，１８）を包囲するリング状のビード（８，１９）によって誘電的に遮蔽されていることを特徴とする接触領域。
【請求項２】
縁部（１０，２１）は、リング状のビード（８，１９）のすぐ隣に配置されていることを特徴とする請求項１に記載の接触領域。
【請求項３】
−この被覆部（１１，２２）の当接面（７，１８）を覆う範囲内が、矩形断面をなすこと、及び、
−弾性的な延長部分（１２，２３）が、半径方向に延在している縁としてこの矩形断面の外側に沿って形成されていることを特徴とする請求項１又は２に記載の接触領域。
【請求項４】
−縁は、被覆部材（１１，２２）を接触リング（４，１５）に機械的に連結可能である手段を有すること、及び、
−縁部（１０，２１）が当接面（７，１８）に対して弾性的に常に押圧されるように、この機械的な連結は実行されることを特徴とする請求項３に記載の接触領域。
【請求項５】
機械的な連結は、取外し可能に形成されていることを特徴とする請求項４に記載の接触領域。
【請求項６】
スナップ装置又はねじ連結器が、機械的な連結部材として設けられていることを特徴とする請求項５に記載の接触領域。
【発明の詳細な説明】
【０００１】
【発明の属する技術分野】
本発明は、請求項１の上位概念に記載の電力遮断器用の接触領域に関する。
【０００２】
【従来の技術】
高電圧系統で使用され得る絶縁ガスで満たされた電力遮断器が、ドイツ連邦共和国特許出願公開第196 13 568号明細書から公知である。この電力遮断器は、定格電流経路が接触領域内に存在するシリンダ状に形成された消弧室を有する。中心軸上に配置された固定式の２つの消耗接触子が、この接触領域内に設けられている。これらの消耗接触子は、電力遮断器の投入状態中に橋絡接触子によって通電接続されている。この橋絡接触子は、ここでは回転対称的に形成されたこれらの消耗接触子の内部に配置されている。アークルートの非常に大きな半径方向の移動を阻止するため、これらの消耗接触子の互いに面した前面の少なくとも一部が、絶縁されるように被覆されている。この被覆部材材の取付けには、比較的経費がかかる。何故なら、この被覆部材が、アーク領域内で支配的である温度の作用下で変形しうるからである。
【０００３】
独立請求項中に記載されているような本発明は、消耗接触子の前面用の絶縁被覆部材が誘電的に良好に形成され、かつ取付けるのが簡単である電力遮断器用の接触領域を提供するという課題を解決する。
【０００４】
本発明によって奏される有利な効果は、被覆部材が熱による変形にもかかわらず特に遮断過程の間とその直後でもこの領域内で高い誘電要求を常に満たすという点から分かる。
【０００５】
この発明は、中心軸線周りに回転対称的に配置されて絶縁媒体で満たされた消弧室の接触領域から出発する。この接触領域は、接触リングとして形成された固定式の少なくとも２つの消耗接触子、及び互いに面したそれらの前面の少なくとも一部を被覆する電気絶縁性の被覆部材を有する。これらの消耗接触子は、消弧室の閉鎖中に中心に配置されて軸線方向に移動する１本の橋絡接触子を介して通電接続されている。ここでは第一に、被覆部材の当接する縁部から出発して半径方向に開口している楔形の断面をした１本の環状間隙が、当接面と絶縁性の被覆部材との間に形成されている。この場合、この縁部は、これらの当接面を包囲するリング状のビードによって誘電的に遮蔽されている。
【０００６】
特に有利な効果は、縁部が弾性力によって当接面に対して常に押圧されるという点から分かる。これによって、誘電的に望まない作用を起こしうる消耗粒子が環状間隙内に到達できないことが保証される。
【０００７】
【発明の実施の形態】
図は、遮断状態にある電力遮断器の接触領域１の非常に簡略化した部分断面を示す。接触領域１は、電力遮断器の定格電流経路の一部である。この電力遮断器は、絶縁ガスで満たされている図示しなかったハウジング内に組込まれている。この接触領域１は、中心軸線２の周りに回転対称的に配置されている。上部保持部材３が、耐消耗性の金属材料から作られている上部接触リング４を保持する。つば６が、中心軸線２に面したシリンダ面５のうちの１つのシリンダ面５上に設けられている。この上部接触リング４は、この中心軸線２に対して垂直な当接面７を有する。この当接面７は、中心軸線２に面したその側面がシリンダ面５方向に湾曲されるように誘電的に良好に延在している。この当接面７は、誘電的に良好に形成されて設置されたビード８によって中心軸線２に面した側面で仕切られている。このビード８は、この中心軸線２に面した側面でノズルくびれ部９として形成された上部接触リング４の領域内に向かって延在している。
【０００８】
当接面７上では、被覆部材１１の縁部１０がビード８のすぐ隣に存在する。すなわち、この縁部１０は、ビード８によって中心軸線２方向の影響から守られる。この影響とは、特に熱放射及び高温ガスと共に流れる粒子でありうる。被覆部材１１は、リング状に形成されている。この被服部１１の当接面７を覆う範囲内が、矩形断面をなす。縁部１０だけが、当接面７に面した被覆部材１１の側面に当接するように、この側面は形成されている。楔状の断面をなした環状間隙１１ａが、当接面７とこの当接面７に面した被覆部材１１の側面との間に存在する。ほぼ弾性的な延長部分１２が、この矩形断面の外側に沿って形成されている。この延長部分１２は、上方に延在している一体的に形成された縁を形成する。被覆部材１１を構成する絶縁材料が十分に弾性的であるならば、この延長部分１２に切れ目はつけられない。硬い材料が使用されるならば、軸線方向に指向された複数の切れ目（スリット）が、この縁に沿って形成される。アンダーカット１３が、延長部分１２の上端部に形成されている。このアンダーカット１３は、つば６と一体的に嵌合している。被覆部材１１が、延長部分１２の弾性力によって押圧される結果、所定の位置に保持される。同様に、この延長部分１２は、中心軸線２方向からの直接的な熱の影響から守られる。その結果、その近くが高温であるにもかかわらず、その弾性力が常に保持されている。
【０００９】
固定式に同様に形成されてこの接触領域１に敷設された対向接触子が、中心軸線２に対して垂直な平面に対して鏡像的に配置されている。この対向接触子は、金属製の下部保持部材１４である。この下部保持部材１４は、下部接触リング１５を保持する。この下部接触リング１５は、耐消耗性の金属材料から作られている。１本の溝１６が、この下部接触リング１５に沿って形成されている。中心軸線２に面した一方のフランクが雌ねじ１７を有する。下部接触リング１５は、中心軸線２に対して垂直方向に当接面１８を有する。この当接面１８は、中心軸線２に面したその側面が溝１６の他方のフランク方向に湾曲されるように誘電的に良好に延在している。この当接面１８は、誘電的に良好に形成されて設置されたビード１９によって中心軸線２に面した側面で仕切られている。一般に、このビード１９は、ビード８と同様に形成されている。このビード１９は、この中心軸線２に面した側面でノズルくびれ部２０として形成された下部接触リング１５の領域内に向かって延在している。一般に、このノズルくびれ部２０は、ノズルくびれ部９と同様な断面をなす。当接面１８上では、被覆部材２２の縁部２１がビード１９のすぐ隣に存在する。すなわち、この縁部２１は、ビード１９によって中心軸線２方向の影響から守られる。この影響とは、特に熱放射及び高温ガスと共に流れる粒子でありうる。被覆部材２２は、被覆部材１１と同様にリング状に形成されている。この被覆部材２２の当接面１８を覆う範囲内が、矩形断面をなす。縁部２１だけが、当接面１８に面した被覆部材２２の側面に当接するように、この側面は形成されている。楔状の断面をなした環状間隙２２ａが、当接面１８とこの当接面１８に面した被覆部材２２の側面との間に存在する。ほぼ弾性的な延長部分２３が、この矩形断面の外側に沿って形成されている。この延長部分２３は、下方に延在している釣り鐘状に形成された縁を形成する。被覆部材２２を構成する絶縁材料が十分に弾性的であるならば、この延長部分２３に切れ目はつけられない。硬い材料が使用されるならば、軸線方向に指向された複数の切れ目（スリット）が、この縁に沿って形成される。延長部分２３の下端部には、雄ねじが、中心軸線に面した側面上に形成されている。この雄ねじは、接触リング１５の雌ねじ１７内にねじ込まれている。被覆部材２２が、延長部分２３の弾性力によって押圧される結果、所定の位置に保持される。同様に、この延長部分２３は、中心軸線２方向からの直接的な熱の影響から守られる。その結果、その近くが高温であるにもかかわらず、その弾性力が常に保持されている。
【００１０】
被覆部材１１は、被覆部材２２と同様にねじ固定部材を有してもよい。同様に、被覆部材２２は、被覆部材１１のようにスナップ固定部材で保持されてもよい。ここで示された被覆部材１１又は２２の変形は、構造的に異なるように形成してもよい。ここでは、リング状の流れギャップ２４が、これらの両被覆部材１１の間に形成されている。この流れギャップ２４は、加熱されたガスがアークの発生時にアーク放電空間２５から加熱室２６内に流れることを可能にする。アークが消弧される時に、この加熱室２６内に蓄勢された加圧ガスが、反対方向にこの流れギャップ２４を経由してアーク放電空間２５内に流入し、このアーク放電空間２５から排気室２７，２８内にさらに流入する。
【００１１】
両被覆部材１１，２２を一体的に形成すること、そして流れギャップ２４の代わりに複数の孔をこの一体的な部材の適切な場所に放射状に形成することも可能である。この一体的な部材は、既に説明した保持部材のうちの一方の保持部材を用いて固定してもよいし、場合によっては接触リブ４又は１５のうちの一方の接触リングだけで固定してもよい。
【００１２】
縁部１０，２１は、金属製のビード８又は１９によって誘電的に非常に効果的に遮蔽される一種の三重点を呈する。被覆部材１１，２２の材料が、熱的な過負荷に起因して幾分収縮した場合は、延長部分１２又は２３の初張力があるためと、当接面７又は１８と被覆部材１１又は２２との間の環状間隙１１ａ又は２２ａが楔形に形成されているために、これらの被覆部材１１又は２２がそれぞれの当接面７又は１８の縁部と当接することが保証される。誘電的に不利に作用する消耗粒子が、環状間隙１１ａ，２２ａ内へ到達し得ない。
【図面の簡単な説明】
【図１】  遮断状態にある電力遮断器の接触領域の非常に簡略化した部分断面を示す。
本発明の直接の理解に対して必要ない全ての要素は、図示しないか又は説明しない。
【符号の説明】
１    接触領域
２    中心軸線
３    上部保持部材
４    上部接触リング
５    シリンダ面
６    つば
７    当接面
８    ビード
９    ノズルくびれ部
１０    縁部
１１ａ  環状間隙
１１    被覆部材
１２    延長部分
１３    アンダーカット
１４    下部保持部材
１５    下部接触リング
１６    溝
１７    雌ねじ
１８    当接面
１９    ビード
２０    ノズルくびれ部
２１    縁部
２２    被覆部材
２２ａ  環状間隙
２３    延長部分
２４    流れギャップ
２５    アーク放電空間
２６    加熱室
２７    排気室
２８    排気室
【図１】
0003777116.tif 000002